【手続補正書】
【提出日】平成17年8月23日(2005.8.23)
【手続補正１】
【補正対象書類名】特許請求の範囲
【補正対象項目名】全文
【補正方法】変更
【補正の内容】
【特許請求の範囲】
【請求項１】
デジタル伝送システムでアプリケーションデータを映像番組ストリームに結合するためのデータ結合構成において、
−異なる音声および映像ソースからの記録信号を単一の映像番組ストリームに結合するための処理手段（１５）と、
−選択された映像番組ストリーム内のアクティブエリアを定義するための動き追跡手段（１６）と、
−適切なアプリケーションデータを映像番組ストリーム内の対応するアクティブエリアにリンクするためのリンク手段と、
−トランスポートネットワーク（１０）で映像ストリームを受信側に送信するための送信手段と、
を備えることを特徴とするデータ結合構成。
【請求項２】
前記送信手段が格納および転送手段（１９）と、異なるデジタル映像番組ストリームおよびデジタルデータストリームを多重番組トランスポートストリームに多重化するための多重化手段（６）と、送信手段（９）とを含み、格納および転送手段（１９）が異なるアプリケーション（２０）からのアプリケーションデータを受け取り、適切なアプリケーションデータを多重化手段（６）に転送するように構成することを特徴とする請求項１に記載のデータ結合構成。
【請求項３】
前記動き追跡手段（１６）はアクティブエリアの知識を、格納および転送手段（１９）を介して前記多重化手段（６）に転送することを特徴とする請求項１又は２に記載のデータ結合構成。
【請求項４】
前記動き追跡手段（１６）はアクティブエリアの知識を、システム情報テーブル（８）を介して前記多重化手段（６）に転送することを特徴とする請求項１又は２に記載のデータ結合構成。
【請求項５】
前記動き追跡手段（１６）はアクティブエリアの知識を前記多重化手段（６）に直接転送することを特徴とする請求項１又は２に記載のデータ結合構成。
【請求項６】
前記格納および転送手段（１９）がカルーセルユニット（２５）と、一つまたはそれ以上のクライアントユニット（２１）〜（２３）への接続を有するデータベースサーバ（２４）とを持ち、データベースサーバ（２４）がクライアントユニット（２１）〜（２３）から情報を受け取り、クライアント情報を格納し、クライアント情報をカルーセルユニット（２５）に転送し、かつカルーセルユニット（２５）がアクティブエリアに対応する適切なアプリケーションデータを多重化手段（６）に転送するように構成することを特徴とする請求項２〜５のいずれか一項に記載のデータ結合構成。
【請求項７】
前記格納および転送手段（１９）はまた、データベースサーバ（２４）およびカルーセルユニット（２５）の両方を制御する自動化システム（２６）をも持つことを特徴とする請求項２〜６のいずれか一項に記載のデータ結合構成。
【請求項８】
選択された映像番組ストリーム内のアクティブエリアは、
−ロック点を選択し、
−ロック点付近でアクティブエリアを定義し、
−動き追跡手段（１６）を使用して選択された映像番組ストリームにおけるロック点およびアクティブエリアの動きを追跡する
ことによって定義することを特徴とする請求項２〜７のいずれか一項に記載のデータ結合構成。
【請求項９】
ロック点の動きは、相互に続くフレーム間の相違に基づいて算出することを特徴とする請求項８に記載のデータ結合構成。
【請求項１０】
ロック点はベクトルにより定義することを特徴とする請求項８又は９に記載のデータ結合構成。
【請求項１１】
ロック点は座標により定義されることを特徴とする請求項８又は９に記載のデータ結合構成。
【請求項１２】
特定のロック点に対応するアクティブエリアは、ロック点に関連する関数または関数群として定義することを特徴とする請求項８〜１１のいずれか一項に記載のデータ結合構成。
【請求項１３】
アクティブエリアはフレーム毎に更新することを特徴とする請求項８〜１２のいずれか一項に記載のデータ結合構成。
【請求項１４】
アクティブエリアはＸ個のフレームに対して同一のままであり、Ｘ番目のフレーム毎に更新され、ここでＸは整数であることを特徴とする請求項８〜１２のいずれか一項に記載のデータ結合構成。
【請求項１５】
アクティブエリアのサイズおよび形状は、相互に近接して位置するロック点間の距離に依存することを特徴とする請求項８〜１４のいずれか一項に記載のデータ結合構成。
【請求項１６】
アクティブエリアのサイズおよび形状は、相互に近接して位置するアクティブエリア間の距離に依存することを特徴とする請求項８〜１４のいずれか一項に記載のデータ結合構成。
【請求項１７】
前記データ結合構成は、
−入来する映像ストリームを受信するための受信手段（４８）と、
−番組をユーザに提示するためのモニタリング手段（４９）と、
−受信手段（４８）およびモニタリング手段（４９）を制御するための制御手段（５０）と、
をさらに備えることを特徴とする請求項１〜１６のいずれか一項に記載のデータ結合構成。
【請求項１８】
デジタル伝送システムでアプリケーションデータと結合された映像番組ストリームを提示するためのデータ提示構成において、
−アプリケーションデータが関連映像番組ストリームにリンクされ、かつ異なる映像番組ストリームが全て多重番組トランスポートストリームに多重化されて成るデジタル放送システムから、入来する映像ストリームを受信するための受信手段（４８）と、
−番組をユーザに提示するためのモニタリング手段（４９）と、
−受信手段（４８）およびモニタリング手段（４９）を制御するための制御手段（５０）と、
を備えることを特徴とするデータ提示構成。
【請求項１９】
受信ユニット（４８）およびモニタリングユニット（４９）は一つのユニットとして結合することを特徴とする請求項１８に記載のデータ提示構成。
【請求項２０】
受信ユニット（４８）、モニタリングユニット（４９）、およびユーザ制御装置（５０）は一つのユニットとして結合することを特徴とする請求項１８に記載のデータ提示構成。
【請求項２１】
前記データ提示構成はまた、トランスポートネットワーク（５２）でユーザからサービスプロバイダ（５３）へ情報を送信するための送信手段（５１）をも含むことを特徴とする請求項１８に記載のデータ提示構成。
【請求項２２】
前記制御装置（５０）は、送信ユニット（５１）を制御するためにも使用されることを特徴とする請求項２１に記載のデータ提示構成。
【請求項２３】
送信ユニット（５１）は、ユーザからサービスプロバイダ（５３）へ商取引要求を送信するように装備することを特徴とする請求項２１又は２２に記載のデータ提示構成。
【請求項２４】
送信ユニット（５１）は、サービスプロバイダ（５３）からユーザへの確認を受信するように装備することを特徴とする請求項２１〜２３のいずれか一項に記載のデータ提示構成。
【請求項２５】
受信ユニット（４８）、モニタリングユニット（４９）、および送信ユニット（５１）は一つのユニットとして結合することを特徴とする請求項２１〜２４のいずれか一項に記載のデータ提示構成。
【請求項２６】
受信ユニット（４８）、モニタリングユニット（４９）、ユーザ制御装置（５０）、および送信ユニット（５１）は一つのユニットとして結合することを特徴とする請求項２１〜２４のいずれか一項に記載のデータ提示構成。
【請求項２７】
前記モニタリングユニット（４９）は、可動カーソル（５５）を備えたスクリーンディスプレイ（５４）、（５７）と、カーソル位置検出用の手段とを持つことを特徴とする請求項１８〜２６のいずれか一項に記載のデータ提示構成。
【請求項２８】
入来する多重番組ストリームが、モニタリングユニット（４９）用の可動カーソル（５５）を生成するために使用されるアプリケーションをも含むことを特徴とする請求項２７に記載のデータ提示構成。
【請求項２９】
前記可動カーソル（５５）はユーザ制御装置（５０）により制御することができることを特徴とする請求項２７又は２８に記載のデータ提示構成。
【請求項３０】
入来する多重番組ストリームは、デジタル映像番組内の選択されたロック点の動きを常に追跡し、かつロック点に関連するアクティブエリアの位置をカーソルの移動と常に比較するために使用されるアプリケーションをも含むことを特徴とする請求項２７〜２９のいずれか一項に記載のデータ提示構成。
【請求項３１】
前記スクリーンディスプレイ（５４）、（５７）は一組の選択ボタン（５６）を有しており、前記選択ボタン（５６）はユーザ制御装置（５０）により制御することができることを特徴とする請求項３０に記載のデータ提示構成。
【請求項３２】
定義されたアクティブエリアにカーソルを移動させたときに、第一のデータアプリケーションが自動的に始動することを特徴とする請求項３０又は３１に記載のデータ提示構成。
【請求項３３】
データアプリケーションは最初にユーザに確認プロンプト（５８）を示し、ユーザがデータアプリケーションを続行することを希望することをユーザ制御装置（５０）で確認するようにユーザに要求することを特徴とする請求項３０〜３２のいずれか一項に記載のデータ提示構成。
【請求項３４】
データアプリケーションは、選択されたアクティブエリアに関連する情報（５９）を示すことを特徴とする請求項３０〜３３のいずれか一項に記載のデータ提示構成。
【請求項３５】
データアプリケーションはユーザに選択ボタンを表示することを特徴とする請求項３４に記載のデータ提示構成。
【請求項３６】
データアプリケーションは製品の購入を確認する選択ボタン（６０）、（６４）を示すことを特徴とする請求項３５に記載のデータ提示構成。
【請求項３７】
映像ストリームをデータと結合するための方法において、
−映像ストリームにおける入来デジタル映像番組の単一画像でロック点を選択するステップ（６９）と、
−選択されたロック点に対しアクティブエリアを定義するステップ（７０）と、
−アクティブエリアに対しデータおよびアプリケーションを定義するステップ（７１）と、
を含むことを特徴とする方法。
【請求項３８】
前記方法は、
−データおよび映像番組をトランスポートネットワーク（１０）で受信側に送信するステップ（６６）と、
−データおよび映像番組を受信側で受信するステップ（６７）と、
−データおよび映像番組ストリームをユーザに提示するステップ（６８）と、
をさらに含むことを特徴とする請求項３７に記載の方法。
【請求項３９】
結合された映像ストリームとデータを提示するための方法において、
−データサービスが存在することをユーザに告げるステップ（７２）と、
−カーソルの位置を検出し（７３）、カーソルの位置と、多重番組トランスポートストリームで受信したアプリケーションによって検出されたアクティブエリアの位置とを比較するステップと、
−カーソルがアクティブエリアにあることが検出されたとき（７４）に、データアプリケーションからの検索データを提示するステップ（７５）と、
を含むことを特徴とする方法。
【請求項４０】
カーソルがアクティブエリアにあることが検出されたとき（７４）に、
−データサービスが存在することがユーザに告げられ（７２）、
−ユーザ承認が検出され（７７）、
−データアプリケーションからの検索データが提示される（７５）
ことを特徴とする請求項３９に記載の提示方法。
【請求項４１】
デジタル伝送システムで商取引を実行するための方法において、
−データサービスが存在することをユーザに告げるステップ（７２）と、
−カーソルの位置を検出するステップ（７３）と、
−カーソルがアクティブエリアにあることが検出されたとき（７４）に、データアプリケーションからの検索データを提示するステップ（７５）と、
−ユーザが商取引を実行するステップ（７８）と、
を含むことを特徴とする方法。